(57)【要約】【課題】砂時計の最も特徴である上下を逆転するという簡便操作だけで、粒体の全量が下側に落下するまでの間、経過した時間を計測できる砂時計を提供する。【解決手段】本体容器の上側にある粒体がくびれ部の連通した穴を通り、下側に落下する、この粒体を所定時間溜めることのできる容積を有する容器、または、所定時間落下した粒体の蓄積した高さが視認できる凸状物を設けることによって、複数の時間が計測できるようにした。【選択図】図１
2012083322.tif 000002
【特許請求の範囲】
【請求項１】
中央部にくびれ部を有した任意の本体容器と、その中に密封された粒体と本体容器を保持するための支持体から構成される砂時計において、全ての粒体が落下するまでに、数段階の経過時間が測定できる計時手段を本体容器内に備えたことを特徴とする複数の時間が計測できる砂時計。
【請求項２】
所定時間落下した粒体を溜めることのできる容積を有する容器を、本体容器内に計時手段として備えた請求項１の複数の時間が計測できる砂時計。
【請求項３】
所定時間落下した粒体が蓄積した高さと同等の高さを有する凸状物を、本体容器内に計時手段として備えた請求項１の複数の時間が計測できる砂時計。
【発明の詳細な説明】
【技術分野】
【０００１】  本発明は、透明または半透明の容器の内部に粒体を封入し、粒体がくびれ部の連通した穴を通り、上側にある粒体が下側に落下し、上側の粒体が全て下側に落下するまで要した時間を計測する砂時計に関するものである。
【背景技術】
【０００２】  従来、砂時計の容器内に任意の隔壁を設け、その任意の隔壁に仕切られたそれぞれの空間内に粒体が通過する連通穴が設けられ、これ等の連通穴はそれぞれ大きさが異なり、この穴の大きさに応じて粒体の落下時間が異なることを利用し、複数の時間計測ができる砂時計が知られている。
【先行技術文献】
【特許文献】
【０００３】
【特許文献１】  実開平６−６９８８９号公報
【発明の概要】
【発明が解決しようとする課題】
【０００４】  即席麺の調理時間は、その種類やメーカーによって３分、４分、５分とさまざまである、また、日本茶のむらし時間は概ね上級煎茶３分、普通茶１分、玉露２分半と言われている、このように生活の中で時間を管理する道具として砂時計が広く使われている。しかし、一つの砂時計で複数の時間を管理できるものはなく、それぞれ目的とする時間に合わせて砂時計を別々に用意せざるを得なかった。【０００５】  前記特許文献１においては、目的とする時間に設定するために、その隔壁内に粒体を集めるという煩わしさが伴った、また、隔壁が３つ以上の場合、それぞれに粒体を集めるのは困難を要した、よって、砂時計の最大の特徴である上下を逆転させるだけで、時間計測できるという簡便性から逸脱した構成となっていた。
本発明は、以上の問題を解決するためになされたものである。
【課題を解決するための手段】
【０００６】  本体容器を静止状態から上下逆転させたとき、粒体が本体容器の上側から下側に全量落下するまでの間、粒体の蓄積量を視認することで所定の経過時間が計測できる。
【発明の効果】
【０００７】  本発明は、上下を逆転させるだけで経過時間の計測ができるという砂時計の簡便性を損なうことなく複数の時間が計測でき、目的とする時間に応じて複数の砂時計を用意する必要もないため保管場所もとらない。【０００８】  粒体の蓄積時間を視認できる構造体の形状は自由にできるため、装飾性が向上する。また、粒体が蓄積する過程を見て楽しむという従来の砂時計にはない面白さも提供できる。
【図面の簡単な説明】
【０００９】
【図１】本発明の内部容器（２）を取り付けた砂時計の全体図
【図２】本発明の内部容器（２）の要部拡大斜視図
【図３】本発明の内部容器（２）を取り付けた砂時計の動作状態図
【図４】本発明の内部容器（２ａ）を取り付けた砂時計の全体図
【図５】本発明の内部容器（２ａ）の要部拡大斜視図
【図６】本発明の内部容器（２ａ）を取り付けた砂時計の動作状態図
【図７】本発明の凸状物（５）を取り付けた砂時計の全体図
【図８】本発明の凸状物（５）の要部拡大斜視図
【図９】本発明の凸状物（５）を取り付けた砂時計の動作状態図
【図１０】本発明の凸状物（５ａ）を取り付けた砂時計の全体図
【図１１】本発明の凸状物（５ａ）の要部拡大斜視図
【図１２】本発明の凸状物（５ａ）を取り付けた砂時計の動作状態図
【図１３】本発明の内部容器（２）の変形形状の斜視図
【図１４】本発明の内部容器（２）の変形形状の斜視図
【図１５】本発明の内部容器（２）の変形形状の斜視図
【図１６】本発明の内部容器（２）の変形形状の斜視図
【図１７】本発明の内部容器（２）の変形形状の斜視図
【図１８】本発明の凸状物（５）の変形形状の斜視図
【図１９】本発明の凸状物（５）の変形形状の斜視図
【図２０】本発明の凸状物（５）の変形形状の斜視図
【図２１】本発明の凸状物（５）の変形形状の斜視図
【図２２】本発明の凸状物（５）の変形形状の斜視図
【図２３】本発明の凸状物（５）の変形形状の斜視図
【図２４】本発明の凸状物（５）の変形形状の斜視図
【発明を実施するための形態】
以下図面に基づいて実施形態を詳細に説明する。
【００１０】  図１は本発明の第一の実施形態を示した図であり、砂時計は本体容器（１）と内部容器（２）と粒体（３）及び支持台（４）から構成され、本体容器（１）は中央にくびれ部を有し粒体（３）を密封している。内部容器（２）は所定時間粒体（３）を溜めることのできる容積を有し、くびれ側に開口部を向け、本体容器（１）の上下にそれぞれ一個配置されている。また、本体容器（１）の保護と垂直に保持するために支持台（４）を備えている。
【００１１】  図１〜図３を参照して本発明の第一の実施形態の動作を説明する。
最初に内部容器（２）に粒体（３）が溜まり、所定時間が経過すると、内部容器（２）の外にあふれ出る、この状態を視認することで第一の時間が計測できる。次に、本体容器（１）の上側にある粒体（３）が全て下側に落下する。この状態を視認することによって第二の時間が計測できる。
【００１２】  このように、一つの砂時計において、計時手段である内部容器（２）を有することによって、内部容器（２）に粒体（３）が溜まる時間と粒体（３）の全量が落下する時間の二つの異なった時間が計測できる。
【実施例】  本発明の第一の実施形態を図１〜図３を参照して、調理時間が熱湯を入れた後の放置時間が３分と５分の異なった即席麺をつくる場合を説明する。
本体容器（１）内には全量が落下するまで５分間かかる量の粒体（３）があり、内部容器（２）は粒体（３）を３分間ためることのできる容積があるとする。計測を開始後、内部容器（２）に粒体（３）がたまり、やがて内部容器（２）の外にあふれ出る、つまり図３（ｂ）の状態になったときに調理時間３分間の即席麺が完成する。次に、粒体（３）の全量が本体容器（１）の上側から下側に落下する、図３（ｃ）に示す状態になったときに調理時間５分間の即席麺が完成する。このように、本発明の砂時計を用いれば、一つの砂時計で複数の時間を管理することができる。【００１３】  図４は本発明の第二の実施形態を示した図であり、第一の実施形態の内部容器（２）を内部容器（２ａ）に置き換えたものである。内部容器（２ａ）は落下する粒体（３）を最初に所定時間溜めることのできる容積を有する第一分割容器と次に粒体（３）を所定時間溜めることのできる容積を有する第二分割容器で構成されている。【００１４】  図４〜図６を参照して本発明の第二の実施形態の動作を説明する。
最初に内部容器（２ａ）の第一分割容器に粒体（３）が溜まり、所定時間が経過すると、図６（ａ）に示すように第一分割容器の外にあふれ出る、この状態を視認することで第一の時間が計測できる、次に、あふれ出た粒体（３）は第二分割容器に溜まり、更に、所定時間が経過すると、図６ｂに示すように第二分割容器の外にあふれ出る、この状態を視認することで第二の時間が計測できる、やがて本体容器（１）の上側にある粒体（３）の全量が、図６ｃに示すように下側に落下する、この状態を視認することで第三の時間を計測することができる。【００１５】  このように、計時手段である第一分割容器と第二分割容器で構成された内部容器（２ａ）を有することによって、三つの異なった時間を計測することができる。【００１６】  内部容器（２）及び内部容器（２ａ）の外形形状は任意で良く、内部容器（２ａ）を構成する分割容器の数は任意で良いものとする。【００１７】  図７は本発明の第三の実施形態の図であり、第一の実施形態の内部容器（２）を凸状物（５）に置き換えたものであり、凸状物（５）は粒体（３）が所定時間蓄積した高さと同等の高さを有する。【００１８】  図７〜図９を参照して本発明の第三の実施形態の動作を説明する。
本体容器（１）の上側の粒体（３）が落下し、凸状物（５）の高さと同等になったことを視認することで第一の時間が計測でき、上側の粒体（３）の全量が落下したことを視認することで第二の時間が計測できる。【００１９】  このように、計時手段である凸状物（５）を有することで、二種類の異なった時間が計測できる。【００２０】  図１０は本発明の第四の実施形態の図であり、第一の実施形態の内部容器（２）を凸状物（５ａ）に置き換えたものであり、凸状物（５ａ）は粒体（３）が所定時間ごとに蓄積した高さを確認できる突起１、突起２を有している。【００２１】  図１０〜図１２を参照して本発明の第四の実施形態の動作を説明する。
本体容器（１）の上側の粒体（３）が所定時間落下し、図１２（ａ）に示す突起１と同等の高さまで蓄積したことを視認することで第一の時間が計測でき、更に所定時間粒体（３）が落下し、図１２（ｂ）に示す突起２と同等の高さまで蓄積したことを視認することで第二の時間が計測できる。継続して粒体（３）が所定時間落下し、図１２（ｃ）に示す凸状物（５ａ）の先端の高さまで蓄積したことを視認することで第三の時間が計測でき、更に、本体容器（１）の上側の粒体（３）の全量が落下したことを視認することで第四の時間が計測できる。【００２２】  このように、計時手段である凸状物（５ａ）を有することで、一つの砂時計で四種類の異なった時間が計測できる。【００２３】  凸状物（５）の形状は任意とすることができる。また、凸状物（５ａ）においても粒体（３）が蓄積した高さが視認できる形状とし、任意とする。
【符号の説明】１    本体容器
２    内部容器
２ａ  内部容器
３    粒体
４    支持台
５    凸状物
５ａ  凸状物
【図１】
2012083322.tif 000003
【図２】
2012083322.tif 000004
【図３】
2012083322.tif 000005
【図４】
2012083322.tif 000006
【図５】
2012083322.tif 000007
【図６】
2012083322.tif 000008
【図７】
2012083322.tif 000009
【図８】
2012083322.tif 000010
【図９】
2012083322.tif 000011
【図１０】
2012083322.tif 000012
【図１１】
2012083322.tif 000013
【図１２】
2012083322.tif 000014
【図１３】
2012083322.tif 000015
【図１４】
2012083322.tif 000016
【図１５】
2012083322.tif 000017
【図１６】
2012083322.tif 000018
【図１７】
2012083322.tif 000019
【図１８】
2012083322.tif 000020
【図１９】
2012083322.tif 000021
【図２０】
2012083322.tif 000022
【図２１】
2012083322.tif 000023
【図２２】
2012083322.tif 000024
【図２３】
2012083322.tif 000025
【図２４】
2012083322.tif 000026